(57)【要約】【課題】蓋部とケース本体との導通を、簡単な構造で実現すると共に、組み付け性及びメンテナンス性を向上させることができる。【解決手段】一面が開口した中空箱型に形成されて電子機器を収納し、塗装が施された金属製のケース本体１と、電子機器が取り付けられ、蝶番構造によってケース本体１の開口１ａに回動自在に覆設される、塗装が施された金属製の蓋部２とを備え、蝶番構造は、ケース本体１に形成される第一の軸筒３１ａと、蓋部に形成される第二の軸筒３２ａと、第一、第二の軸筒３１ａ、３２ａを挿通、軸支する金属製のピン３３Ａとで構成され、ピン３３Ａは、第二の軸筒３２ａに導通する導通手段が設けられ、更に、ピン３３Ａの円周方向及び軸方向に弾性力を有すると共に第一の軸筒３１ａの内径部に当接して塗装を削剥し金属部分に当接する金属製の第一のばね材３５Ａが設けられる。【選択図】図１
2010199123.tif 000002
【特許請求の範囲】
【請求項１】
一面が開口した中空箱型に形成されて電子機器を収納し、少なくとも表面に塗装が施された金属製のケース本体と、
電子機器が取り付けられ、蝶番構造によってケース本体に連結されて、ケース本体の開口に回動自在に覆設される、少なくとも表面に塗装が施された金属製の蓋部とを備え、
前記蝶番構造は、ケース本体に形成される第一の軸筒と、蓋部に形成される第二の軸筒と、第一、第二の軸筒を挿通して、第一、第二の軸筒を軸支する金属製のピンとで構成され、
前記ピンは、第一の軸筒または第二の軸筒のいずれか一方の軸筒に当接し、当該一方の軸筒に導通する導通手段が設けられ、更に、円周方向及び軸方向に弾性力を有すると共に他方の軸筒の内径部に当接する金属製の第一のばね材が設けられることを特徴とする電子機器収納箱。
【請求項２】
前記他方の軸筒は、内径部まで塗装が及んでおり、前記第一のばね材は、蓋部の回動時に当接する他方の軸筒の内径部の塗装を削剥して金属部分に当接することを特徴とする請求項１記載の電子機器収納箱。
【請求項３】
前記第一のばね材は、ピンの軸方向に対して円弧状に形成されることを特徴とする請求項１または２記載の電子機器収納箱。
【請求項４】
前記ピンは、ピンの円周方向及び軸方向に弾性力を有すると共に一方の軸筒の内径部に当接する金属製の第二のばね材が設けられることを特徴とする請求項１乃至３いずれか記載の電子機器収納箱。
【発明の詳細な説明】
【技術分野】
【０００１】
本発明は、電子機器収納箱に関するものである。
【背景技術】
【０００２】
従来から用いられている電子機器収納箱として、一面が開口した金属製のケース本体と、蝶番によってケース本体の開口に回動自在に覆設される金属製の蓋部と、ケース本体内に収納される操作可能なブレーカ等の電子機器とを備えた分電盤がある（例えば特許文献１参照）。
【０００３】
そして、従来は、ケース本体のみをアース接続し、ケース本体に収納された電子機器はケース本体の金属部分にアース接続されていた。
【０００４】
また、近年、蓋部にも表示器等の電子機器を取り付けたいという要望があり、その場合には、蓋部に設けられた電子部品を蓋部の金属部分に導通させ、更にリード線を介して当該蓋部の金属部分とケース本体の金属部分とを接続することで、蓋部に取り付けられた電子部品のアース接続を行っていた。
【０００５】
しかしながら、リード線が別途設けられることで、蓋部を開けた際にリード線が露出して見栄えが悪くなる、若しくは、蓋部を開閉する際にリード線をケース本体と蓋部との間に挟みこんでしまう虞がある等の問題があった。
【０００６】
また、図７に示すように、一般的に蝶番３は、ケース本体１に固定される蝶番金具３１と蓋部２に固定される蝶番金具３２とが、ピン３６に挿通されると共に軸支された構成を有しているが、ピン３６と蝶番金具３１，３２とは接触状態が不安定であるため、ピン３６によって蝶番金具３１、３２間に安定した導通状態を確保することは困難であった。
【０００７】
そのため、リード線を別途設けることなく、蓋部に安定したアース接続を行うことができる電子機器収納箱の一例として、ケース本体と蓋部とを連結する蝶番に、ねじ留めによって導電金具を取り付けたものがある（例えば特許文献２参照）。
【０００８】
そして、導電金具が取り付けられた蝶番は、ケース本体に固定されると共にケース本体と導通したケース側蝶番金具と、蓋部に固定されると共に蓋部と導通した蓋側蝶番金具と、各蝶番金具の軸筒を挿通するピンと、各蝶番金具にねじ留めによって固定される導通金具とを備えている。ここで、導通金具を固定するねじは、蝶番金具に形成される挿通孔の塗装膜を削剥しつつ挿通した後に、蝶番金具のねじ孔に螺合することで、蝶番金具と導通金具とを導通させている。
【０００９】
更に、導通金具は、蝶番金具に固定される際に、ピンに当接した状態で固定されることから、ピンとも導通する。
【００１０】
従って、導通金具が取り付けられた蝶番によって、当該導通金具及びピンを介してケース本体と蓋部とが導通し、蓋部の安定したアース接続を実現している。
【００１１】
また、リード線を別途設けることなく、蓋部の安定したアース接続を行うことができる電子機器収納箱の別の例として、ケース本体と蓋部とを連結する蝶番が備えるピンに、当該ピンの円周方向に弾性力を有するコイルスプリングを複数取り付けたものがある（例えば特許文献３参照）。
【００１２】
そして、ピンにコイルスプリングが取り付けられた蝶番は、ケース本体に固定されると共にケース本体と導通したケース側蝶番金具と、蓋部に固定されると共に蓋部と導通した蓋側蝶番金具と、各蝶番金具の軸筒を挿通するピンと、ピンに挿通されると共にピンと導通し、ピンの円周方向に弾性力を有する円環状のコイルスプリングとを備えている。ここで、当該コイルスプリングは、各蝶番金具の軸筒の内径部に当接して設けられており、蓋部が回動した際に、各蝶番金具の軸筒の内径部の塗装を削剥し金属部分に当接することで各蝶番金具を導通させている。
【００１３】
従って、コイルスプリングが設けられたピンを備えた蝶番によって、当該コイルスプリング及びピンを介してケース本体と蓋部とが導通し、蓋部の安定したアース接続を実現している。
【先行技術文献】
【特許文献】
【００１４】
【特許文献１】実開平３−１０６８０４号公報
【特許文献２】特開２００５−２９４２９９号公報
【特許文献３】実開平５−５７８７９９号公報
【発明の概要】
【発明が解決しようとする課題】
【００１５】
しかしながら、蝶番に導通金具が取り付けられた電子機器収納箱は、導電金具を組み付ける際にねじ留めが必要となるため、構造が複雑になると共に、工数がかかるという問題がった。
【００１６】
また、蝶番のピンにコイルスプリングを取り付けた電子機器収納箱は、コイルスプリングがピンの円周方向にのみ弾性力を有していることから、組み付け時に軸筒の内径部にピンを挿入することが困難であり、また、メンテナンスの際にピンを引き抜くことも困難で、組み付け性及びメンテナンス性の悪いものであった。
【００１７】
本発明は、上記事由に鑑みてなされたものであり、その目的は、蓋部とケース本体との導通を簡単な構造で実現すると共に、組み付け性及びメンテナンス性を向上した電子機器収納箱を提供することにある。
【課題を解決するための手段】
【００１８】
請求項１の発明は、一面が開口した中空箱型に形成されて電子機器を収納し、少なくとも表面に塗装が施された金属製のケース本体と、電子機器が取り付けられ、蝶番構造によってケース本体に連結されて、ケース本体の開口に回動自在に覆設される、少なくとも表面に塗装が施された金属製の蓋部とを備え、前記蝶番構造は、ケース本体に形成される第一の軸筒と、蓋部に形成される第二の軸筒と、第一、第二の軸筒を挿通して、第一、第二の軸筒を軸支する金属製のピンとで構成され、前記ピンは、第一の軸筒または第二の軸筒のいずれか一方の軸筒に当接し、当該一方の軸筒に導通する導通手段が設けられ、更に、円周方向及び軸方向に弾性力を有すると共に他方の軸筒の内径部に当接する金属製の第一のばね材が設けられることを特徴とする。
【００１９】
この発明によれば、蓋部とケース本体とを導通させるリード線を用いることなく、蓋部とケース本体との導通を簡単な構造で実現し、且つ、第一のばね材が取り付けられたピンを、第一、第二の軸筒に容易に挿通することができると共に、ピンを第一、第二の軸筒から容易に取り外すことができ、組み付け性及びメンテナンス性を向上させることができる。
【００２０】
従って、蓋部とケース本体との導通を、簡単な構造で実現すると共に、組み付け性及びメンテナンス性を向上させることができる。
【００２１】
請求項２の発明は、請求項１の発明において、前記他方の軸筒は、内径部まで塗装が及んでおり、前記第一のばね材は、蓋部の回動時に当接する他方の軸筒の内径部の塗装を削剥して金属部分に当接することを特徴とする。
【００２２】
この発明によれば、蓋部とケース本体との導通を、簡単な構造で実現すると共に、組み付け性及びメンテナンス性を向上させることができ、更に、他方の軸筒の内径部に塗装が入り込んでしまっている場合であっても、第一のばね材が当該内径部に当接して塗装を削剥し金属部分に当接することで、蓋部とケース本体との導通を図ることができる。
【００２３】
請求項３の発明は、請求項１または２の発明において、前記第一のばね材は、ピンの軸方向に対して円弧状に形成されることを特徴とする。
【００２４】
この発明によれば、第一のばね材を取り付けたピンを、第一、第二の軸筒に容易に挿通することができると共に、ピンを第一、第二の軸筒から容易に取り外すことができ、組み付け性及びメンテナンス性を向上させることができる。
【００２５】
請求項４の発明は、請求項１乃至３いずれかの発明において、前記ピンは、当該ピンの円周方向及び軸方向に弾性力を有すると共に一方の軸筒の内径部に当接する金属製の第二のばね材が設けられることを特徴とする請求項１乃至３いずれか記載の電子機器収納箱。
【００２６】
この発明によれば、ピンを組み付ける際に、第一のばね材によって一方の軸筒の内径部の塗装を削剥した後に、更に、第二のばね材が一方の軸筒の内径部の塗装を削剥して当接することで、ピンと一方の軸筒の導通を確実に行うことができる。
【発明の効果】
【００２７】
以上説明したように、本発明では、蓋部とケース本体との導通を、簡単な構造で実現すると共に、組み付け性及びメンテナンス性を向上させることができるという効果がある。
【図面の簡単な説明】
【００２８】
【図１】本発明の実施形態１における電子機器収納箱の要部の拡大断面図を示す。
【図２】同上における電子機器収納箱の一部破断した正面図示す。
【図３】同上における電子機器収納箱の要部の断面図を示す
【図４】（ａ）、（ｂ）は、同上における電子機器収納箱が備えるピンの正面図及び底面図を示す。
【図５】（ａ）、（ｂ）は、同上における電子機器収納箱が備える第一のばね材の正面図及び底面図を示す。
【図６】本発明の実施形態２における電子機器収納箱の要部の拡大断面図を示す。
【図７】従来例における電子機器収納箱の要部の拡大断面図を示す。
【発明を実施するための形態】
【００２９】
以下、本発明の実施の形態を図面に基づいて説明する。
【００３０】
（実施形態１）
本発明の電子機器収納箱Ａは、図１〜３に示すように、前面が開口したケース本体１と、蝶番構造によってケース本体１と連結されて、ケース本体１の開口１ａに回動自在に覆設する蓋部２と、前記蝶番構造を形成する蝶番３とを備えている。なお、以下図２における上下左右を基準とし、上下左右方向と直交する方向を前後方向とする。
【００３１】
ケース本体１は、金属材料から前面に略矩形状の開口１ａを有した中空箱型に形成され、表面には塗装が施されている。
【００３２】
蓋部２は、金属材料から略矩形平板状に形成されて、その表面に塗装が施されている。
【００３３】
蝶番３は、開口１ａ周縁の上端部より前方へ延設された後に先端が上方へ折曲された断面略Ｌ字状の蝶番金具取り付け部１１に固定される第一の蝶番金具３１と、蓋部２の後面の上端側に固定され、第一の蝶番金具３１の第一の軸筒３１ａと略同軸となる位置に配設される第二の軸筒３２ａを有する第二の蝶番金具３２と、第一、第二の軸筒３１ａ、３２ａを挿通すると共に軸支する金属製のピン３３Ａとを備えている。
【００３４】
ここで、第一の蝶番金具３１は、取り付け部１１に溶接によって固定され、ケース本体１と導通している。
【００３５】
また、第二の蝶番金具３２は一対の第二の軸筒３２ａが形成されており、当該一対の第二の軸筒３２ａ間は、第一の軸筒３１ａが挿入可能な間隔に設定されている。そして、第二の蝶番金具３２は、蓋部２に溶接によって固定され、蓋部２と導通している。
【００３６】
なお本実施形態では、ケース本体１及び蓋部２に塗装が施された際に、第一、第二の軸筒３１ａ、３２ａの内径部には、開口部から塗装が入り込んでいるものとする。
【００３７】
ピン３３Ａは、図４に示すように、所謂頭付ピンであり、ピン部３３１Ａと、ピン部３３１Ａの一端側に形成された頭部３３２とからなる。そして、当該頭部３３２の座面からピン部３３１Ａの軸方向に沿って突出した略三角錐型の突部３３１ａが、ピン部３３１Ａの円周方向に略９０度の間隔を空けて複数形成されており、当該突部３３１ａは頭部３３２から離れるにしたがって突出量が減少する。
【００３８】
また、ピン部３３１Ａの他端側には円周方向に溝部３３１ｂが形成されており、ピン３３Ａが第一、第二の軸筒３１ａ、３２ａを挿通した後に、Ｃリング３４が溝部３３１ｂに嵌め込まれることでピン３３Ａの抜け止めがなされる。更に、ピン部３３１Ａの軸方向の略中央には、円周方向に凹部３３１ｃが形成され、当該凹部３３１ｃに第一のばね材３５Ａが取り付けられる。
【００３９】
第一のばね材３５Ａは、図５に示すように、金属材料から成る、ピン３３Ａの軸方向に対して中心部が最も膨らんだ略円弧状に形成された複数のばね部３５ａと、当該複数のばね部３５ａを介して連結され、ピン３３Ａの凹部３３１ｃに嵌め込まれる断面略Ｃ型の一対の固定部３５ｂとを備える。ここで、ばね部３５ａは、ピン３３Ａの円周方向に膨らんだ略タル状に形成されていることから、ピン３３Ａの円周方向に弾性力を有しており、更には、ピン３３Ａの軸方向に沿った略円弧状に形成されていることから、ピン３３Ａの軸方向についても弾性力を有している。
【００４０】
そして、ピン３３Ａが、第一、第二の軸筒３１ａ、３２ｂを挿通して組みつけられた際に、突部３３１ａが第二の軸筒３２ａの内径部の開口側に当接すると共に、当該内径部の塗装を削剥して金属部分に当接することで、第二の軸筒３２ａとピン３３Ａとが導通する。ここで、突部３３１ａは略三角推状に形成されていることから、第二の軸筒３２ａの内径部にスムーズに当接することができると共に、内径部の塗装を確実に削剥することができる。
【００４１】
また、第一のばね材３５Ａは、ピン３３Ａの円周方向に対して弾性力を有していることから、蓋部２が回動した場合に、当接する第一の軸筒３１ａの内径部の塗装を削剥して金属部分と当接することで、第一の軸筒３１ａとピン３３Ａとが導通する。
【００４２】
よって、ピン３３Ａ及び第一のばね材３５Ａを介して第一の軸筒３１ａと第二の軸筒３２ａとが導通することで、蓋部２→第二の軸筒３２ａ→突部３３１ａ→ピン部３３１Ａ→第一のばね材３５Ａ→第一の軸筒３１ａ→ケース本体１の経路で蓋部２とケース本体１との導通を図ることができる。
【００４３】
更に、第一のばね材３５Ａのばね部３５ａは、ピン３３Ａの軸方向に対しても弾性力を有していることから、ピン３３Ａを第一、第二の軸筒３１ａ、３２ａにスムーズに挿入することができると共に、引き抜く際にもスムーズに引き抜くことができるので、ケース本体１に対して蓋部２を容易に取り付けたり、取り外したりすることができる。
【００４４】
従って、本実施形態の電子機器収納箱Ａは、蓋部２とケース本体１との導通を、簡単な構造で実現すると共に、組み付け性及びメンテナンス性を向上させることができる。
【００４５】
（実施形態２）
本実施形態と実施形態１とで異なる点は、ピン３３Ｂのピン部３３１Ｂに第二のばね材３５Ｂが設けられている点である。なお、実施形態１と共通する構造については、共通の符号を付して説明を省略する。また、第二のばね材３５Ｂは、第一のばね材３５Ａと同様の構成を有する。
【００４６】
ピン３３Ｂは、図６に示すように、所謂頭付ピンであり、ピン部３３１Ｂと、ピン部３３１Ｂの一端側に形成された頭部３３２とからなる。そして、当該頭部３３２の座面からピン部３３１Ｂの軸方向に沿って突出した略三角錐型の突部３３１ａが、ピン部３３１Ｂの円周方向に略９０度の間隔を空けて複数形成されており、当該突部３３１ａは頭部３３２から離れるにしたがって突出量が減少する。
【００４７】
また、ピン部３３１Ｂの他端側には円周方向に溝部３３１ｂが形成されており、ピン３３Ｂが第一、第二の軸筒３１ａ、３２ａを挿通した後に、Ｃリング３４が溝部３３１ｂに嵌め込まれることでピン３３Ｂの抜け止めがなされる。更に、ピン部３３１Ｂの軸方向の略中央及び一端側には、円周方向に凹部３３１ｃ、３３１ｄが各々形成され、当該凹部３３１ｃ、３３１ｄに第一のばね材３５Ａ、第二のばね材３５Ｂが各々取り付けられる。
【００４８】
そして、ピン３３Ｂを、第一、第二の軸筒３１ａ、３２ｂに挿通して組みつける際に、まず、第一のばね材３５Ａを第二の軸筒３２ａの内径部に挿入し蓋部２を回動することで、第一のばね材３５Ａが第二の軸筒３２ａの内径部の塗装を削剥する。その後に、第一のばね材３５Ａを第一の軸筒３１ａの内径部に挿入することで、第一のばね材３５Ａが当該第一の軸筒３１ａの内径部に当接し塗装を削剥して金属部分に当接することで、第一の軸筒３１ａとピン３３Ａとが導通する。
【００４９】
また、第一のばね材３５Ａが第一の軸筒３１ａの内径部に当接した際に、突部３３１ａが第二の軸筒３２ａの開口側の塗装を削剥して当接すると共に、第二のばね材３５Ｂが第一のばね材３５Ａによって塗装が削剥された第二の軸筒３２ａの内径部に当接することで、第二の軸筒３２ａとピン３３Ｂとが導通する。
【００５０】
よって、ピン３３Ｂ及び第一、第二のばね材３５Ａ、３５Ｂを介して第一の軸筒３１ａと第二の軸筒３２ａとが導通することで、蓋部２→第二の軸筒３２ａ→突部３３１ａ及び第二のばね材３５Ｂ→ピン部３３１Ａ→第一のばね材３５Ａ→第一の軸筒３１ａ→ケース本体１の経路で蓋部２とケース本体１との導通を図ることができる。
【００５１】
また、第二の軸筒３２ａの内径部は、第一のばね材３５Ａによって塗装が削剥され、更に当該塗装の削剥が不十分であった場合に、第二のばね材３５Ｂが当接し削剥する２段階の削剥処理を備えることで、第二の軸筒３２ａとピン３３Ｂとの導通をより確実に図ることができる。
【００５２】
加えて、ピン３３が軸方向へ移動し、突部３３１ａが第二の軸筒３２ａから離れた場合であっても、第二のばね材３５ｂと第二の軸筒３２ａとが導通を維持することで、ピン３３と第二の軸筒３２ａとの導通状態を保つことができる。
【符号の説明】
【００５３】
１  ケース本体
１ａ  開口
２  蓋部
３  蝶番
３１  第一の蝶番金具
３１ａ  第一の軸筒
３２  第二の蝶番金具
３２ａ  第二の軸筒
３３Ａ  ピン
３５Ａ  第一のばね材
【図１】
2010199123.tif 000003
【図２】
2010199123.tif 000004
【図３】
2010199123.tif 000005
【図４】
2010199123.tif 000006
【図５】
2010199123.tif 000007
【図６】
2010199123.tif 000008
【図７】
2010199123.tif 000009